(57)【特許請求の範囲】
【請求項１】
モモの葉の水と親水性溶媒との混合溶媒抽出物を有効成分として含有することを特徴とする残留塩素消去剤（ただし、モモの葉の熱水抽出物、モモの花抽出物、又はモモの未成熟果実抽出物を有効成分として含有するものを除く）。
【請求項２】
請求項１に記載の残留塩素消去剤を含有することを特徴とする残留塩素消去用浴用剤組成物。
【請求項３】
請求項１に記載の残留塩素消去剤を含有することを特徴とする残留塩素消去用皮膚化粧料。
【発明の詳細な説明】
【技術分野】
【０００１】
本発明は、残留塩素消去剤、浴用剤組成物、及び皮膚化粧料に関する。
【背景技術】
【０００２】
従来から、アトピー性皮膚炎などの皮膚疾患により肌に何らかの問題を抱える人が増えている。前記疾患を治療する方法としては、例えば、入浴することで患部を清潔に保つ方法などが挙げられる。
しかし、一般的に入浴に用いられる水道水は、塩素消毒を行っていることがほとんどであり、前記水道水は残留塩素を含んでいる。このため、水道水を用いた入浴は、前記皮膚疾患を抱える人々に対しては、刺激が強いという問題があった。
また、一般的にプールに用いられる水は、水道水に比べて高濃度の塩素で消毒を行っており、前記皮膚疾患を抱える人々にとっては、入浴における水道水よりも更に刺激が強いという問題があった。
【０００３】
前記問題を解決するために、薬用植物エキスを含有する残留塩素消去剤が提案されている（例えば、特許文献１、２参照）。しかし、前記提案においては、当帰、カミツレなど、ごくわずかな種類が知られているだけであった。このため、前記提案以外の優れた残留塩素消去作用を有し、安全性の高い残留塩素消去剤が望まれている。
【先行技術文献】
【特許文献】
【０００４】
【特許文献１】特開２０００−７０９５６号公報
【特許文献２】特開２００２−３４６５７５号公報
【発明の概要】
【発明が解決しようとする課題】
【０００５】
本発明は、従来における前記諸問題を解決し、以下の目的を達成することを課題とする。即ち、本発明は、優れた残留塩素消去作用を有し、安全性の高い残留塩素消去剤を提供することを目的とする。
【課題を解決するための手段】
【０００６】
前記課題を解決するため本発明者が鋭意検討を重ねた結果、モモ抽出物が、優れた残留塩素消去作用を有することを知見した。
【０００７】
本発明は、本発明者による前記知見に基づくものであり、前記課題を解決するための手段としては、以下の通りである。即ち、
＜１＞  モモ抽出物を含有することを特徴とする残留塩素消去剤である。
＜２＞  前記モモ抽出物が、モモの葉の抽出物である前記＜１＞に記載の残留塩素消去剤である。
＜３＞  前記＜１＞から＜２＞のいずれかに記載の残留塩素消去剤を含有することを特徴とする浴用剤組成物である。
＜４＞  前記＜１＞から＜２＞のいずれかに記載の残留塩素消去剤を含有することを特徴とする皮膚化粧料である。
【発明の効果】
【０００８】
本発明によれば、従来における前記諸問題を解決し、前記目的を達成することができ、優れた残留塩素消去作用を有し、安全性の高い残留塩素消去剤を提供することができる。
【図面の簡単な説明】
【０００９】
【図１】図１は、実施例における５１０ｎｍの吸光度と塩素濃度についての検量線である。
【発明を実施するための形態】
【００１０】
（残留塩素消去剤）
本発明の残留塩素消去剤は、モモ抽出物を含有し、更に必要に応じてその他の成分を含有する。
【００１１】
＜モモ抽出物＞
前記モモ（Ａｍｙｇｄａｌｕｓ  ｐｅｒｓｉｃａ  Ｌ．）は、バラ科モモ属の落葉小高木であり、中国が原産である。前記モモは、食用、観賞用として世界各地において栽培されている。前記モモの種子は「トウニン（桃仁）」と呼ばれ、医薬品に用いられており、前記モモの葉は、皮膚の炎症に効果があるとされている。
【００１２】
前記モモ抽出物は、植物の抽出に一般に用いられる方法を利用することによって、容易に得ることができる。なお、前記モモ抽出物には、前記モモの抽出液、該抽出液の希釈液若しくは濃縮液、該抽出液の乾燥物、又はこれらの粗精製物若しくは精製物のいずれもが含まれる。
【００１３】
前記モモの抽出部位としては、特に制限はなく、目的に応じて適宜選択することができ、例えば、果実、種子、葉、樹皮、花、根などが挙げられる。これらの中でも、葉が好ましい。
【００１４】
前記モモの抽出部位の調製方法としては、各部位を乾燥させた後、そのまま又は粗砕機を用い粉砕して溶媒抽出に供することにより得ることができる。前記乾燥は、天日で行ってもよいし、通常使用されている乾燥機を用いて行ってもよい。
【００１５】
前記モモを抽出する方法としては、特に制限はなく、目的に応じて適宜選択することができ、例えば、室温又は還流加熱下で、任意の抽出装置を用いて抽出する方法などが挙げられ、具体例としては、抽出溶媒を満たした処理槽内に、抽出原料としてのモモを投入し、更に必要に応じて時々攪拌しながら、３０分間〜２時間静置して可溶性成分を溶出した後、ろ過して固形物を除去し、得られた抽出液から抽出溶媒を留去し、乾燥することにより抽出する方法などが挙げられる。
【００１６】
前記モモの抽出に用いる溶媒としては、特に制限はなく、目的に応じて適宜選択することができ、例えば、水、親水性有機溶媒、又はこれらの混合溶媒などが挙げられる
【００１７】
前記モモの抽出溶媒として使用し得る水としては、特に制限はなく、目的に応じて適宜選択することができ、例えば、純水、水道水、井戸水、鉱泉水、鉱水、温泉水、湧水、淡水等の他、これらに各種処理を施したものが含まれる。水に施す処理としては、例えば、精製、加熱、殺菌、ろ過、イオン交換、浸透圧の調整、緩衝化等が含まれる。なお、前記抽出溶媒として使用し得る水には、精製水、熱水、イオン交換水、生理食塩水、リン酸緩衝液、リン酸緩衝生理食塩水等も含まれる。
【００１８】
前記モモの抽出溶媒として使用し得る親水性有機溶媒としては、特に制限はなく、目的に応じて適宜選択することができ、例えば、メタノール、エタノール、プロピルアルコール、イソプロピルアルコール等の炭素数１〜５の低級アルコール；アセトン、メチルエチルケトン等の低級脂肪族ケトン；１，３−ブチレングリコール、プロピレングリコール、グリセリン等の炭素数２〜５の多価アルコールなどが挙げられ、これら親水性有機溶媒と水との混合溶媒なども用いることができる。なお、前記水と前記親水性有機溶媒との混合溶媒を使用する際には、低級アルコールの場合は水１０質量部に対して１質量部〜９０質量部、低級脂肪族ケトンの場合は水１０質量部に対して１質量部〜４０質量部を混合したものを使用することが好ましい。また、多価アルコールの場合は水１０質量部に対して１質量部〜９０質量部を混合したものを使用することが好ましい。
【００１９】
前記モモの抽出条件としては、特に制限はなく、目的に応じて適宜選択することができるが、抽出溶媒量としては、抽出原料の５倍量〜１５倍量（質量比）が好ましく、抽出溶媒として水を用いた場合には、５０℃〜９５℃で１時間〜４時間程度で抽出することが好ましく、抽出溶媒として水とエタノールとの混合溶媒を用いた場合には、４０℃〜９０℃で３０分間〜４時間程度で抽出することが好ましい。
【００２０】
前記モモ抽出物の精製方法としては、特に制限はなく、目的に応じて適宜選択することができ、例えば、液−液分配抽出、各種クロマトグラフィー、膜分離などの精製方法が挙げられる。
【００２１】
＜その他の成分＞
前記その他の成分としては、特に制限はなく、目的に応じて適宜選択することができ、例えば、賦形剤、防湿剤、防腐剤、強化剤、増粘剤、乳化剤、酸化防止剤、甘味料、酸味料、調味料、着色料、香料等、美白剤、保湿剤、油性成分、紫外線吸収剤、界面活性剤、増粘剤、アルコール類、粉末成分、色剤、水性成分、水、皮膚栄養剤などが挙げられる。
また、前記その他の成分の具体例としては、特に制限はなく、目的に応じて適宜選択することができ、例えば、ヒアルロン酸、ヒアルロン酸加水分解物、コラーゲン、コラーゲン加水分解物、アスコルビン酸、アスコルビン酸誘導体、アスコルビン酸配糖体、コエンザイムＱ１０、プロポリス、ローヤルゼリー、ローヤルゼリー蛋白分解物、フコイダン、アロエ粉末、アロエ抽出物、ブルーベリー粉末、ブルーベリー抽出物、イソフラボン、ノニ粉末、ノニ抽出物、ニンニク粉末、ニンニク抽出物、ウコン粉末、ウコン抽出物、キトサン、グルコサミン、クロレラ粉末、クロレラ抽出物、カルニチン、マカ粉末、マカ抽出物、カシス粉末、カシス抽出物、ハナビラタケ粉末、ハナビラタケ抽出物、その他の植物の粉末及び／又は抽出物などが挙げられる。
【００２２】
＜剤型＞
本発明の残留塩素消去剤の剤型としては、特に制限はなく、目的に応じて適宜選択することができ、例えば、錠剤、粉剤、カプセル剤、顆粒剤、エキス剤などが挙げられる。
【００２３】
＜用途＞
本発明の残留塩素消去剤は、優れた残留塩素消去作用を有するため、例えば、皮膚化粧料、浴用剤組成物、シャワーヘッドの充填剤、飲料用浄水器に使用される充填剤などとして使用することができ、これらの中でも、浴用剤組成物、及び皮膚化粧料が好ましい。
【００２４】
（浴用剤組成物）
本発明の浴用剤組成物は、本発明の前記残留塩素消去剤を含有し、更に必要に応じてその他の成分を含有してもよい。
【００２５】
＜残留塩素消去剤＞
前記残留塩素消去剤としては、上述した本発明の残留塩素消去剤を用いることができる。
前記残留塩素消去剤の含有量としては、特に制限はなく、目的に応じて適宜選択することができる。
【００２６】
＜その他の成分＞
前記その他の成分としては、浴用剤組成物に通常用いられるものであれば、特に制限はなく、目的に応じて適宜選択することができ、例えば、無機酸類、有機酸類、油性成分、生薬や薬用植物及びこれらの抽出物、色素類、ビタミン類、水溶性ポリマー、界面活性剤、タンパク分解酵素、保湿剤、香料などが挙げられる。これらは、１種単独で使用してもよいし、２種以上を併用してもよい。
【００２７】
前記無機酸類としては、例えば、塩化ナトリウム、炭酸水素ナトリウム、炭酸ナトリウム、ホウ砂、硫酸ナトリウム、硫化ナトリウム、セスキ炭酸ナトリウム、硝酸ナトリウム、チオ硫酸ナトリウム、ポリリン酸ナトリウム、リン酸ナトリウム、酸化カルシウム、酸化マグネシウム、炭酸カルシウム、炭酸マグネシウム、塩化カリウム、硫化カリウム等の無機塩類、ホウ酸、メタケイ酸、無水ケイ酸などが挙げられる。
前記有機酸類としては、例えば、コハク酸、フマル酸、リンゴ酸、酒石酸、クエン酸、安息香酸などが挙げられる。
【００２８】
前記油性成分は、保温効果を高めるために含有される。
前記油性成分としては、例えば、大豆油、米ヌカ油、米胚芽油、ホホバ油、アボガド油、アーモンド油、オリーブ油、カカオ脂、ゴマ油、ヒマシ油、ヤシ油、ミンク油、牛脂、豚脂等の天然油脂；前記天然油脂を水素添加して得られる硬化油；ミリスチン酸グリセリド、２−エチルヘキサン酸グリセリンなどの合成トリグリセリド等の油脂類；カルナウバロウ、鯨ロウ、ミツロウ、ラノリン等のロウ類；流動パラフィン、ワセリン、パラフィン、セレシン、スクワラン等の炭化水素類；ラウリン酸、ミリスチン酸、パルミチン酸、ステアリン酸、オレイン酸、リノール酸、リノレン酸、ラノリン酸、イソステアリン酸等の高級脂肪酸類；ラウリルアルコール、セチルアルコール、ステアリルアルコール、オレイルアルコール、ラノリンアルコール、コレステロール等の高級アルコール類；オクタン酸セチル、乳酸ミリスチル、乳酸セチル、ミリスチン酸イソプロピル、ミリスチン酸ミリスチル、パルミチン酸イソプロピル、アジピン酸イソプロピル、ステアリン酸ブチル、オレイン酸デシル等のエステル類；ハッカ油、ジャスミン油、樟脳油、ヒノキ油、トウヒ油、ケイヒ油、ベルガモット油、ミカン油、ショウブ油、パイン油、ラベンダー油、クローブ油、ヒバ油、バラ油、ユーカリ油、レモン油、タイム油、ペパーミント油、ローズ油、セージ油、メントール、シネオール、オイゲノール、シトロネラール、リナロール、ゲラニオール、カンファー、チモール、ピネン、リモネン等の精油類などが挙げられる。
【００２９】
前記生薬や薬用植物及びこれらの抽出物としては、例えば、ウイキョウ、オウバク、桂皮、紅花、シャクヤク、ショウキョウ、菖蒲、陳皮、ソウジュツ、カノコソウ、ビャクシ、トウヒ、ハッカ、ブクリョウなどが挙げられる。
前記色素類としては、例えば、黄色４号、青色１号、黄色２０２号の（１）等厚生省令により定められたタール色素別表１及び２等の合成色素；クロロフィル、リボフラビン、クロシン、紅花、アントラキノン類の食品添加物として認められる天然色素等などが挙げられる。
前記ビタミン類としては、例えば、ビタミンＡ、ビタミンＣ、ビタミンＤ、ビタミンＥなどの各種ビタミン及びこれらの誘導体などが挙げられる。
前記水溶性ポリマーとしては、例えば、アルギン酸ナトリウム、アルギン酸プロピレングリコールエステル、アラビアガム、キサンタンガム、ペクチン、カルボキシメチルセルロースナトリウム、メチルセルロース、ポリビニルアルコール、ポリビニルピロリドン、乳タンパク質、大豆タンパク質、ゼラチン、卵タンパク質、カゼインナトリウムなどが挙げられる。
【００３０】
前記界面活性剤は、前記油性成分の乳化剤として作用する。
前記界面活性剤としては、例えば、アニオン性界面活性剤、非イオン性界面活性剤などが挙げられる。これらの中でも、皮膚刺激の少なさの点から、非イオン性界面活性剤が好ましい。また、前記界面活性剤としては、例えば、天然の界面活性剤、合成の界面活性剤などが挙げられる。これらの中でも、皮膚刺激の少なさの点から、天然の界面活性剤が好ましい。
前記非イオン性界面活性剤としては、例えば、グリセリン脂肪酸エステル、プロピレングリコール脂肪酸エステル、ソルビタン脂肪酸エステル、ポリオキシエチレンソルビタン脂肪酸エステル、テトラオレイン酸ポリオキシエチレンソルビット、ポリオキシエチレンプロピレングリコール、ポリオキシエチレンヒマシ油、ポリオキシエチレン硬化ヒマシ油、ポリグリセリン脂肪酸エステルなどが挙げられる。
【００３１】
前記その他の成分の含有量としては、特に制限はなく、目的に応じて適宜選択することができるが、前記残留塩素消去剤１００質量部に対して、０質量部〜２００質量部が好ましい。
前記浴用剤組成物としては、例えば、臭いや色付けを主目的とする化粧用浴用剤、温浴効果を主目的とする、医薬品、医薬部外品としての浴用剤などが挙げられ、いずれにも適用可能である。
前記浴用剤組成物の剤型としては、特に制限はなく、目的に応じて適宜選択することができ、例えば、粉末状、錠剤、顆粒状、バスオイル、バブルバスなどが挙げられる。
前記浴用剤組成物の使用量は、特に制限はなく、目的に応じて適宜選択することができるが、約２００Ｌのお湯に対して、２０ｇ〜３０ｇの割合で用いることが好ましい。
【００３２】
（皮膚化粧料）
本発明の皮膚化粧料は、本発明の前記残留塩素消去剤を含有し、更に必要に応じてその他の成分を含有してもよい。
前記残留塩素消去剤としては、上述した本発明の残留塩素消去剤を用いることができる。
前記残留塩素消去剤の含有量としては、特に制限はなく、目的に応じて適宜選択することができる。
【００３３】
＜その他の成分＞
前記その他の成分としては、皮膚化粧料に通常用いられるものであれば、特に制限はなく、目的に応じて適宜選択でき、例えば、収斂剤、殺菌剤、抗菌剤、紫外線吸収剤、保湿剤、細胞賦活剤、油脂類、ロウ類、炭化水素類、脂肪酸類、アルコール類、エステル類、界面活性剤、香料などが挙げられる。これらは、１種単独で使用してもよいし、２種以上を併用してもよい。
前記その他の成分の含有量としては、特に制限はなく、目的に応じて適宜選択することができる。
【実施例】
【００３４】
以下、本発明の実施例を説明するが、本発明は、これらの実施例に何ら限定されるものではない。
【００３５】
＜残留塩素濃度の測定＞
残留塩素濃度は、ジエチル−ｐ−フェニレンジアミン（ＤＰＤ）により測定した。ＤＰＤは、塩素と反応すると桃〜桃赤色に呈色する。呈色の度合は、波長５１０ｎｍにおける吸光度を測定することで、測定することができる。
本発明の実施例では、前記ＤＰＤとしては、ラピッドＤＰＤ試薬（関東化学株式会社製）を精製水により１００ｍｇ／Ｌとなるように希釈した溶液を用いた（以下、「ＤＰＤ溶液」と称することがある）。
【００３６】
−検量線の作成−
８９１ｍｇ／ｍＬの過マンガン酸カリウム溶液を、精製水により９００倍に希釈した。前記希釈した過マンガン酸カリウム溶液は、塩素濃度換算において１．１１ｍｇ／Ｌに相当する。更にこの溶液を精製水で２倍、４倍、８倍、１６倍、３２倍に希釈した溶液を調製した。
調製した各希釈液を試験管に９００μＬ入れ、前記ＤＰＤ溶液を１００μＬ入れ、よく混合した後、速やかに５１０ｎｍの吸光度を測定し、初期濃度１ｍｇ／Ｌとなる検量線を作成した。結果を図１に示した。
【００３７】
（実施例１）
残留塩素消去剤として、モモ抽出液（モモ抽出液ＢＧ−Ｊ、丸善製薬株式会社製、固形分１．９質量％）を用いた。前記残留塩素消去剤の濃度が０．１質量％となるように精製水により希釈した。試験管に水道水を８９０μＬ、前記残留塩素消去剤を１０μＬ、前記ＤＰＤ溶液１００μＬを加え、混合した後、混合溶液の５１０ｎｍにおける吸光度を測定し、図１の検量線に基づき、残留塩素濃度の値を算出した。実施例１における残留塩素消去剤の終濃度は、０．００１質量％であった。結果を表１に示した。
【００３８】
（実施例２）
実施例１において、残留塩素消去剤の濃度を０．１質量％から１質量％に変えた以外は、実施例１と同様にして、混合溶液の吸光度を測定し、図１の検量線に基づき、残留塩素濃度を算出した。実施例２における残留塩素消去剤の終濃度は、０．０１質量％であった。結果を表１に示した。
【００３９】
（実施例３）
実施例１において、残留塩素消去剤の濃度を０．１質量％から１０質量％に変えた以外は、実施例１と同様にして、混合溶液の吸光度を測定し、図１の検量線に基づき、残留塩素濃度を算出した。実施例３における残留塩素消去剤の終濃度は、０．１質量％であった。結果を表１に示した。
【００４０】
（比較例１）
実施例１において、残留塩素消去剤を精製水に代えた以外は、実施例１と同様にして、混合溶液の吸光度を測定し、残留塩素濃度を算出した。比較例１における残留塩素消去剤の終濃度は、０質量％であった。結果を表１に示した。
【００４１】
＜残留塩素の消去率＞
次に、実施例１〜３、及び比較例１の吸光度の値から、下記式により残留塩素の消去率（％）を算出した。結果を表１に示した。
消去率（％）＝（Ｃ−Ａ）／Ｃ×１００
Ｃ：比較例１の５１０ｎｍにおける吸光度
Ａ：実施例１〜３の５１０ｎｍにおける吸光度
【００４２】
【表１】
0006775314.tif 000002
【００４３】
表１の結果から、実施例１〜３のモモ抽出物は、比較例１に比べて残留塩素濃度が低かった。したがって、本発明の残留塩素消去剤は、高い残留塩素消去作用を示すことがわかった。
【産業上の利用可能性】
【００４４】
本発明の残留塩素消去剤は、優れた残留塩素消去作用を有するため、例えば、皮膚化粧料、浴用剤組成物、シャワーヘッドの充填剤、飲料用浄水器に使用される充填剤として好適に用いることができ、これらの中でも、浴用剤組成物、及び皮膚化粧料が特に好ましい。
【図１】
0006775314.tif 000003